(57)【要約】【課題】複数のアンテナの設置を容易且つ確実に行うことが可能な、小型のアンテナ装置を実現すること。【解決手段】統合アンテナ１２０は、側面１１１に沿って配置される平面アンテナ１２１と、上面１１２に沿って配置される平面アンテナ１２２と、を有し、連結部１２５によって、平面アンテナ１２１と平面アンテナ１２２とが連結されている。【選択図】図１
2014027487.tif 000002
【特許請求の範囲】
【請求項１】
統合アンテナと、
前記統合アンテナを保持する保持部材と、
を備え、
前記保持部材は、
第１のアンテナ設置面と、
前記第１のアンテナ設置面と直交する第２のアンテナ設置面と、
を有し、
前記統合アンテナは、
前記第１のアンテナ設置面に沿って配置される第１の平面アンテナと、
前記第２のアンテナ設置面に沿って配置される第２の平面アンテナと、
を有し、
第１の連結部によって、前記第１の平面アンテナと前記第２の平面アンテナとが連結されている
ことを特徴とするアンテナ装置。
【請求項２】
前記第１の平面アンテナ、前記第２の平面アンテナ、および前記第１の連結部は、同一のアンテナ基板上に形成されている
ことを特徴とする請求項１に記載のアンテナ装置。
【請求項３】
前記第１の連結部は、
前記第１のアンテナ設置面と前記第２のアンテナ設置面とがなす第１の角部に沿って折り曲げられる
ことを特徴とする請求項１または２に記載のアンテナ装置。
【請求項４】
前記保持部材を収容するアンテナ容器をさらに備え、
当該アンテナ容器は、
前記保持部材を収容したときに、前記第１の平面アンテナを、前記第１のアンテナ設置面とともに挟み込む内壁面を有する
ことを特徴とする請求項１から３のいずれか一項に記載のアンテナ装置。
【請求項５】
前記第１のアンテナ設置面には、
前記第１の平面アンテナの給電点の裏側となる位置に、凹部が形成されており、
前記第１の平面アンテナは、
前記第１のアンテナ設置面において、前記凹部の内面に沿って配置される
ことを特徴とする請求項４に記載のアンテナ装置。
【請求項６】
前記保持部材は、
前記第１のアンテナ設置面と直交し、且つ、前記第２のアンテナ設置面と対向する第３のアンテナ設置面をさらに有し、
前記統合アンテナは、
第３のアンテナ設置面に沿って配置される第３の平面アンテナをさらに有し、
第２の連結部によって、前記第１の平面アンテナと前記第３の平面アンテナとが連結されている
ことを特徴とする請求項１から５のいずれか一項に記載のアンテナ装置。
【請求項７】
前記第１の平面アンテナ、前記第２の平面アンテナ、前記第３の平面アンテナ、前記第１の連結部、および前記第２の連結部は、同一のアンテナ基板上に形成されている
ことを特徴とする請求項６に記載のアンテナ装置。 
【請求項８】
前記第２の連結部は、
前記第１のアンテナ設置面と前記第３のアンテナ設置面とがなす第２の角部に沿って折り曲げられる
ことを特徴とする請求項６または７に記載のアンテナ装置。
【発明の詳細な説明】
【技術分野】
【０００１】
本発明は、アンテナ装置に関する。
【背景技術】
【０００２】
無線通信の用途拡大に伴い、種々の周波数帯域で動作するアンテナが求められている。例えば、車載用アンテナとしては、ＦＭ／ＡＭ放送、ＤＡＢ（Digital Audio Broadcast）等の地上デジタル放送、３Ｇ（3rd Generation：第３世代携帯電話）、ＬＴＥ（Long Term Evolution）、ＧＰＳ（Global Positioning System：全地球測位システム）、ＶＩＣＳ（登録商標）（Vehicle Information and Communication System：道路交通情報通信システム）、ＥＴＣ（Electronic Toll Collection：電子料金徴収システム）等の周波数帯域で動作するアンテナ等が求められている。
【０００３】
従来、相異なる周波数帯域で動作するアンテナは、別体のアンテナ装置として実現されることが多かった。例えば、ＦＭ／ＡＭ放送用のアンテナは、ルーフトップに載せ置くホイップアンテナとして実現され、地上デジタル放送用のアンテナは、フロントガラスに貼り付けるフィルムアンテナとして実現されるといった具合である。
【０００４】
しかし、自動車においてアンテナ装置を取り付け可能な部位は限られている。また、取り付けるアンテナ装置の個数が増えると、意匠が損なわれたり、取り付けコストが増大したりするといった問題を生じる。このような問題を回避するためには、統合アンテナ装置の使用が効果的である。ここで、統合アンテナ装置とは、相異なる周波数帯域で動作する複数のアンテナを備えたアンテナ装置のことを指す。例えば、下記特許文献１には、ＥＴＣアンテナおよびＧＰＳアンテナを備えた統合アンテナが開示されている。
【０００５】
このような統合アンテナ装置において、いずれかのアンテナを、設置面に対して垂直に配置するという考えがある。例えば、近年では、携帯電話用の電磁波は垂直偏波となって到来するため、このような垂直偏波の受信効率を高めるためには、平面アンテナを垂直に配置する方が好ましいからである。また、アンテナ装置の小型化の観点からも、アンテナを垂直に配置することは有効である。
【０００６】
平面アンテナを垂直に配置する方法としては、例えば、下記特許文献２に開示されている技術が挙げられる。下記特許文献２に開示されている技術は、矩形ブロック状のコア部材に沿ってアンテナ線を折り曲げることにより、上記コア部材の複数の面に、アンテナ線を巻装するというものである。
【先行技術文献】
【特許文献】
【０００７】
【特許文献１】特開２０１０−８１５００号公報（２０１０年  ４月８日公開）
【特許文献２】特開２００９−７７２２５号公報（２００９年  ４月９日公開）
【発明の概要】
【発明が解決しようとする課題】
【０００８】
しかしながら、上記特許文献２に記載の技術は、単一のアンテナを備えたアンテナ装置に関するものであり、共振周波数が互いに異なる複数の電磁波を受信することができない。また、上記特許文献２に記載の技術では、薄型且つフレキシブルなアンテナ線を正しい位置で折り曲げることや、正しい位置に貼り付けることは、非常に困難であるため、その組み立て作業性に課題がある。
【０００９】
アンテナを垂直に配置する他の方法として、例えば、アンテナ装置内部において、設置面に対して垂直に形成された隙間に、アンテナを差し込む方法もある。この場合、上記隙間に対するアンテナの位置合わせが難しく、アンテナの取り付けに手間や時間がかかってしまう。反対に、上記隙間を大きくしてしまうと、上記隙間内においてアンテナがぐらついてしまい、アンテナの位置ずれが生じる等、アンテナを確実に固定することができない。このような位置ずれは、当該アンテナのアンテナ特性に影響を及ぼすのみならず、複数のアンテナが搭載された統合アンテナ装置においては、他のアンテナとの間隔も変動するため、他のアンテナのアンテナ特性にも影響を及ぼすこととなる。
【００１０】
本発明は、上記の問題に鑑みてなされたものであり、その目的は、共振周波数が互いに異なる複数のアンテナの設置を容易且つ確実に行うことが可能な、小型のアンテナ装置を実現することにある。
【課題を解決するための手段】
【００１１】
上記課題を解決するために、本発明に係るアンテナ装置は、統合アンテナと、前記統合アンテナを保持する保持部材と、を備え、前記保持部材は、第１のアンテナ設置面と、前記第１のアンテナ設置面と直交する第２のアンテナ設置面と、を有し、前記統合アンテナは、前記第１のアンテナ設置面に沿って配置される第１の平面アンテナと、前記第２のアンテナ設置面に沿って配置される第２の平面アンテナと、を有し、第１の連結部によって、前記第１の平面アンテナと前記第２の平面アンテナとが連結されていることを特徴とする。
【００１２】
本アンテナ装置によれば、１つのアンテナ装置により、２種類の無線通信を実現することができる。特に、本アンテナ装置は、２つの平面アンテナを、保持部材の互いに異なる面に配置したため、２つの平面アンテナが互いに影響を及ぼしてしまう事態を回避しつつ、２つの平面アンテナの設置スペースを小型化することができる。
【００１３】
また、本アンテナ装置は、２つの平面アンテナが一体化されているため、２つの平面アンテナの取り扱いが容易なものとなっている。これにより、例えば、一の平面アンテナを位置決めすれば、他の平面アンテナの位置決めも、容易に行うことができる。
【００１４】
さらに、本アンテナ装置は、２つの平面アンテナが、保持部材の複数の面に密着した状態に取り付けられるため、保持部材に対する３つの平面アンテナの位置ずれおよび変形（撓み、浮き上がり等）は規制される。このため、保持部材に対する３つの平面アンテナの固定は、より安定的なものとなる。
【００１５】
上記アンテナ装置において、前記第１の平面アンテナ、前記第２の平面アンテナ、および前記第１の連結部は、同一のアンテナ基板上に形成されていることが好ましい。
【００１６】
この構成によれば、上記複数の部材を同一の基板上に一括して形成することができるため、その形成コストを低減することができる。
【００１７】
上記アンテナ装置において、前記第１の連結部は、前記第１のアンテナ設置面と前記第２のアンテナ設置面とがなす第１の角部に沿って折り曲げられることが好ましい。
【００１８】
この構成によれば、複数の平面アンテナを保持部材に取り付ける際には、第１の連結部を、保持部材の角部に沿って折り曲げることにより、複数の平面アンテナの位置決めを容易に一括して行うことができる。また、複数の平面アンテナの位置ずれおよび変形は、上記のように折り曲げられた第１の連結部によっても規制される。このため、保持部材に対する複数の平面アンテナの固定は、より安定的なものとなる。
【００１９】
上記アンテナ装置において、前記保持部材を収容するアンテナ容器をさらに備え、当該アンテナ容器は、前記保持部材を収容したときに、前記第１の平面アンテナを、前記第１のアンテナ設置面とともに挟み込む内壁面を有することが好ましい。
【００２０】
この構成によれば、第１の平面アンテナの撓みや浮き上がりを防止および解消することができ、第１の平面アンテナを、より確実に第１のアンテナ設置面に密着させた状態で固定することできる。
【００２１】
上記アンテナ装置において、前記第１のアンテナ設置面には、前記第１の平面アンテナの給電点の裏側となる位置に、凹部が形成されており、前記第１の平面アンテナは、前記第１のアンテナ設置面において、前記凹部の内面に沿って配置されることが好ましい。
【００２２】
この構成によれば、第１の平面アンテナの給電点における半田等の突出部を、第１のアンテナ設置面から突出しないように、凹部の内側に収容することができる。これにより、保持部材をアンテナ容器に収容したときに、上記突出部がアンテナ容器の内壁面に当接することを防止することができる。
【００２３】
上記アンテナ装置において、前記保持部材は、前記第１のアンテナ設置面と直交し、且つ、前記第２のアンテナ設置面と対向する第３のアンテナ設置面をさらに有し、前記統合アンテナは、第３のアンテナ設置面に沿って配置される第３の平面アンテナをさらに有し、第２の連結部によって、前記第１の平面アンテナと前記第３の平面アンテナとが連結されていることが好ましい。
【００２４】
本アンテナ装置によれば、１つのアンテナ装置により、３種類の無線通信を実現することができる。特に、本アンテナ装置は、３つの平面アンテナを、保持部材の互いに異なる面に配置したため、３つの平面アンテナが互いに影響を及ぼしてしまう事態を回避しつつ、３つの平面アンテナの設置スペースを小型化することができる。
【００２５】
また、本アンテナ装置は、３つの平面アンテナが一体化されているため、３つの平面アンテナの取り扱いが容易なものとなっている。これにより、例えば、一の平面アンテナを位置決めすれば、他の２つの平面アンテナの位置決めも、容易に行うことができる。
【００２６】
さらに、本アンテナ装置は、３つの平面アンテナが、保持部材の複数の面に密着した状態に取り付けられるため、保持部材に対する３つの平面アンテナの位置ずれおよび変形（撓み、浮き上がり等）は規制される。このため、保持部材に対する３つの平面アンテナの固定は、より安定的なものとなる。
【００２７】
上記アンテナ装置において、前記第１の平面アンテナ、前記第２の平面アンテナ、前記第３の平面アンテナ、前記第１の連結部、および前記第２の連結部は、同一のアンテナ基板上に形成されていることが好ましい。
【００２８】
この構成によれば、上記複数の部材を同一の基板上に一括して形成することができるため、その形成コストを低減することができる。
【００２９】
上記アンテナ装置において、前記第２の連結部は、前記第１のアンテナ設置面と前記第３のアンテナ設置面とがなす第２の角部に沿って折り曲げられることが好ましい。
【００３０】
この構成によれば、複数の平面アンテナを保持部材に取り付ける際には、第２の連結部を、保持部材の角部に沿って折り曲げることにより、複数の平面アンテナの位置決めを容易に一括して行うことができる。また、複数の平面アンテナの位置ずれおよび変形は、上記のように折り曲げられた第２の連結部によっても規制される。このため、保持部材に対する複数の平面アンテナの固定は、より安定的なものとなる。
【発明の効果】
【００３１】
本発明によれば、共振周波数が互いに異なる複数のアンテナの設置を容易且つ確実に行うことが可能な、小型のアンテナ装置を実現することができる。
【図面の簡単な説明】
【００３２】
【図１】本発明の実施形態に係るアンテナ装置の一部の構成を示す外観斜視図である。
【図２】本発明の実施形態に係る統合アンテナの構成を示す。（ａ）は、本発明の実施形態に係る統合アンテナ１２０の構成を示す平面図である。（ｂ）は、本発明の実施形態に係る統合アンテナ１２０の構成を示す側面図である。
【図３】図１のアンテナ装置（アンテナベースがアンテナ容器に収容されていない状態）の構成を示す側面図である。
【図４】図１のアンテナ装置（アンテナベースがアンテナ容器に収容されている状態）の構成を示す側面図である。
【図５】本発明の第２実施形態に係るアンテナベースの構成を示す平面図である。
【図６】本発明の第２実施形態に係るアンテナベース（統合アンテナおよび同軸ケーブルが取り付けられた状態）の構成を示す平面図である。
【図７】本発明の実施形態（第１変形例）に係るアンテナ容器の構成を示す側面図である。
【図８】本発明の実施形態（第２変形例）に係るアンテナベースの構成を示す外観斜視図である。
【発明を実施するための形態】
【００３３】
以下、図面を参照して、本発明の一実施形態に係るアンテナ装置について説明する。
【００３４】
〔第１実施形態〕
まず、図１〜図４を参照して、本発明に係るアンテナ装置の第１実施形態について説明する。
【００３５】
（アンテナ装置１００）
図１は、本発明の第１実施形態に係るアンテナ装置１００の一部の構成を示す外観斜視図である。図１に示すように、アンテナ装置１００は、アンテナベース１１０、統合アンテナ１２０、およびアンテナ容器１３０を備えて構成されている。本実施形態のアンテナ装置１００は、複数の平面アンテナを備えた、いわゆる統合アンテナ装置である。具体的には、本実施形態のアンテナ装置１００は、自動車のルーフへの搭載に適した車載用アンテナ装置である。
【００３６】
ここでは、説明を分かり易くするために、アンテナ装置１００の構成要素のうち、アンテナベース１１０、統合アンテナ１２０、およびアンテナ容器１３０を図示及び説明しているが、実際には、本実施形態のアンテナ装置１００は、これ以外にも、回路基板、本体カバー（例えば、レドーム）、台座等、その利用に則した他の構成要素を含み得る。
【００３７】
（統合アンテナ１２０）
図２は、本発明の実施形態に係る統合アンテナ１２０の構成を示す。図２（ａ）は、本発明の実施形態に係る統合アンテナ１２０の構成を示す平面図である。図２（ｂ）は、本発明の実施形態に係る統合アンテナ１２０の構成を示す側面図である。
【００３８】
統合アンテナ１２０は、共振周波数が互いに異なる複数の平面アンテナを有する。具体的には、統合アンテナ１２０は、平面アンテナ１２１、平面アンテナ１２２、および平面アンテナ１２３を有している。
【００３９】
平面アンテナ１２１は、３Ｇ（3rd Generation）／ＬＴＥ（Long Term Evolution）用である。また、平面アンテナ１２２は、ＤＡＢ（Digital Audio Broadcast）用である。そして、平面アンテナ１２３は、ＧＰＳ(Global Positioning System)用である。
【００４０】
例えば、平面アンテナ１２１（３Ｇ／ＬＴＥ用アンテナ）は、７６１ＭＨｚ以上９６０ＭＨｚ以下の周波数帯域と、１７１０ＭＨｚ以上２１３０ＭＨｚ以下の周波数帯域との両方において動作する逆Ｆ型アンテナである。
【００４１】
また、例えば、平面アンテナ１２２（ＤＡＢ用アンテナ）は、１７４ＭＨＺ以上２４０ＭＨｚ以下の周波数帯域で動作するダイポールアンテナである。
【００４２】
また、例えば、平面アンテナ１２３（ＧＰＳ用アンテナ）は、１５７５．４２ＭＨｚで動作するループアンテナである。
【００４３】
上記各平面アンテナは、目的の周波数帯域で動作するためのアンテナパターン（例えば、地板、放射素子、給電点等を含んで構成されている）が、アンテナ基板上に形成されたものである。例えば、上記アンテナパターンの素材には、薄板状の導体箔（例えば、銅箔）が用いられており、上記アンテナ基板の素材には、薄板状の誘電体フィルム（例えば、ポリイミドフィルム）が用いられている。上記各平面アンテナは、このように薄板状の部材が積層されて構成されていることにより、全体的に薄型かつフレキシブルなものとなっており、容易に折り曲げることが可能となっている。
【００４４】
図２に示すように、統合アンテナ１２０が有する平面アンテナ１２１，１２２，１２３は、いずれも矩形状をなしている。また、これら平面アンテナ１２１，１２２，１２３は、図２に示すように展開した状態においては、同一平面上に配置されている。
【００４５】
さらに、これら平面アンテナ１２１，１２２，１２３は、互いに連結されている。具体的には、平面アンテナ１２１と平面アンテナ１２２とが、連結部１２５によって互いに連結されている。また、平面アンテナ１２１と平面アンテナ１２３とが、連結部１２６によって互いに連結されている。これにより、統合アンテナ１２０は、これら平面アンテナ１２１，１２２，１２３が一体化され、１枚の統合アンテナを形成している。
【００４６】
特に、統合アンテナ１２０において、平面アンテナ１２１，１２２，１２３、および連結部１２５，１２６には、共通のアンテナ基板が用いられている。すなわち、統合アンテナ１２０は、複数のアンテナが、一枚のアンテナ基板上に形成されたものとなっている。
【００４７】
（アンテナベース１１０）
アンテナベース１１０は、平面アンテナ１２１，１２２，１２３を保持するためのものである。アンテナベース１１０は、略直方体形状をなしており、側面１１１、上面１１２、および下面１１３を有している。アンテナベース１１０の素材には、樹脂が用いられているが、樹脂以外の素材が用いられてもよい。
【００４８】
上面１１２および下面１１３は、アンテナ装置１００の設置面（例えば、自動車のルーフ）に対して水平な面であり、互いに対向している。特に、下面１１３は、上面１１２よりも上記設置面に近い側に位置する面である。
【００４９】
側面１１１は、アンテナベース１１０が備える複数の側面のうちの一つであり、上面１１２および下面１１３のいずれにも直交する面である。すなわち、側面１１１は、上記設置面に対して垂直な面である。
【００５０】
（統合アンテナ１２０の取り付け）
図１に示すように、アンテナベース１１０の側面１１１には、平面アンテナ１２１（３Ｇ／ＬＴＥ用アンテナ）が取り付けられる。また、アンテナベース１１０の上面１１２には、平面アンテナ１２２（ＤＡＢ用アンテナ）が取り付けられる。そして、アンテナベース１１０の下面１１３には、平面アンテナ１２３（ＧＰＳ用アンテナ）が取り付けられる。
【００５１】
すなわち、アンテナ装置１００において、平面アンテナ１２２および平面アンテナ１２３は、アンテナ装置１００の設置面に対して水平に配置され、平面アンテナ１２１は、アンテナ装置１００の設置面に対して垂直に配置される。
【００５２】
注目すべきは、図２に示したように平面アンテナ１２１，１２２，１２３は互いに連結されており、統合アンテナ１２０の連結部１２５，１２６を、略垂直に折り曲げ、統合アンテナ１２０をコの字とすることにより、平面アンテナ１２１，１２２，１２３の各々を、アンテナベース１１０に対して一括して取り付けることが可能なことである。
【００５３】
特に、統合アンテナ１２０をアンテナベース１１０に取り付ける際には、連結部１２５の折り曲げ部分である角部を、側面１１１と上面１１２とがなす角部に位置合わせするともに、連結部１２６の折り曲げ部分である角部を、側面１１１と下面１１３とがなす角部に位置合わせする、といった簡単な作業により、平面アンテナ１２１，１２２，１２３の各々の位置決めを一括して行うことができる。
【００５４】
なお、統合アンテナ１２０は、いずれか一の平面アンテナをアンテナベース１１０に配置してから、当該統合アンテナ１２０をアンテナベース１１０に巻き付けるように、順次連結部１２５，１２６を折り曲げつつ、アンテナベース１１０に取り付けることも可能である。この場合も同様に、平面アンテナ１２１，１２２，１２３の各々の位置決めが容易であることはいうまでもない。
【００５５】
（統合アンテナの固定）
上面１１２の表面には、平面アンテナ１２２の縁部を支持するための、複数のツメ１１６が形成されている。これにより、本実施形態のアンテナ１００は、平面アンテナ１２２の縁部を複数のツメ１１６の各々の隙間に差し込む、といった簡単な作業により、平面アンテナ１２２のより確実な位置決めおよび固定が可能となっている。
【００５６】
同様に、下面１１３の表面にも、平面アンテナ１２３の縁部を支持するための複数のツメ１１６が形成されている。これにより、本実施形態のアンテナ１００は、平面アンテナ１２３の縁部を複数のツメ１１６の各々の隙間に差し込む、といった簡単な作業により、平面アンテナ１２３のより確実な位置決めおよび固定が可能となっている。
【００５７】
平面アンテナ１２１は、平面アンテナ１２２，１２３と連結されているため、上記のように平面アンテナ１２２，１２３が位置決めおよび固定されれば、自動的に、平面アンテナ１２１の位置決めおよび固定されることとなる。したがって、作業者は、平面アンテナ１２１の位置決め作業および固定作業を、別途行う必要はない。
【００５８】
このように、アンテナベース１１０に対して、平面アンテナ１２１，１２２，１２３が取り付けられることにより、アンテナ装置１００において、平面アンテナ１２１，１２２，１２３は、所定の位置に所定の向き（設置面に対して平行な状態または垂直な状態）で確実に固定されることとなる。
【００５９】
なお、アンテナベース１１０に対する統合アンテナ１２０の固定方法は、上記に限らず、例えば、接着テープ、接着剤、ネジ、リベット等を用いて、統合アンテナ１２０を固定してもよい。
【００６０】
上記のとおり、本実施形態のアンテナ装置１００は、共振周波数が互いに異なる平面アンテナ１２１，１２２，１２３を備えたことにより、複数種類（３Ｇ／ＬＴＥ，ＤＡＢ，ＧＰＳ）の無線通信を実現することができる。
【００６１】
特に、本実施形態のアンテナ装置１００は、平面アンテナ１２１，１２２，１２３を、アンテナベース１１０の互いに異なる面に配置したため、平面アンテナ１２１，１２２，１２３が互いに影響を及ぼしてしまう事態を回避しつつ、平面アンテナ１２１，１２２，１２３の設置スペースを小型化することができる。
【００６２】
例えば、本実施形態のアンテナ装置１００は、３つの平面アンテナを備えながらも、これら３つの平面アンテナが占める水平方向の投影面積は、実質的に１枚の平面アンテナ（平面アンテナ１２２）の面積と略等しくなっている。
【００６３】
これにより、本実施形態のアンテナ装置１００は、複数種類の無線通信を行うことが可能な、小型のアンテナ装置が実現されている。
【００６４】
さらに、本実施形態のアンテナ装置１００は、平面アンテナ１２１，１２２，１２３が一体化されているため、平面アンテナ１２１，１２２，１２３の取り扱いが容易なものとなっている。特に、平面アンテナ１２１，１２２，１２３をアンテナベース１１０に取り付ける際には、平面アンテナ１２１，１２２，１２３の連結部１２５，１２６を、アンテナベース１１０の角部に沿って折り曲げることにより、平面アンテナ１２１，１２２，１２３の位置決めを一括して行うことが可能となっている。
【００６５】
特に、本実施形態のアンテナ装置１００は、一体化された平面アンテナ１２１，１２２，１２３が、アンテナベース１１０の側面１１１，上面１１２，上面１１３に密着した状態に取り付けられるため、アンテナベース１１０に対する平面アンテナ１２１，１２２，１２３の位置ずれおよび変形（撓み、浮き上がり等）は規制される。さらに、アンテナベース１１０に対する平面アンテナ１２１，１２２，１２３の位置ずれおよび変形は、連結部１２５，１２６によっても規制される。このため、アンテナベース１１０に対する平面アンテナ１２１，１２２，１２３の固定は、より安定的なものとなる。
【００６６】
（アンテナ容器１３０）
図３は、図１のアンテナ装置１００（アンテナベース１１０がアンテナ容器１３０に収容されていない状態）の構成を示す側面図である。図４は、図１のアンテナ装置１００（アンテナベース１１０がアンテナ容器１３０に収容されている状態）の構成を示す側面図である。
【００６７】
アンテナ容器１３０は、アンテナベース１１０を収容することが可能な部材である。具体的には、図３に示すように、アンテナ容器１３０は、アンテナベース１１０を収容することが可能な内部空間を有している。この内部空間は、アンテナベース１１０と同様の直方体形状を有している。アンテナ容器１３０には、この内部空間に通じる開口部１３２が形成されている。
【００６８】
この内部空間の各部のサイズは、アンテナベース１１０の外形サイズと略同じサイズを有している。これにより、アンテナ容器１３０は、アンテナベース１１０を収容しつつ、その内部空間におけるアンテナベース１１０のガタつきを防止することが可能となっている。
【００６９】
例えば、この内部空間の高さＨ（垂直方向のサイズ）は、上面１１２に設けられているツメ１１６の上端から、下面１１３に設けられているツメ１１６の下端までの間隔と、略同サイズとなっている。
【００７０】
また、この内部空間の長さＬ（水平方向、且つ開口部１３２からの奥行き方向のサイズ）は、蓋１１５と側面１１１との間隔と、略同サイズとなっている。
【００７１】
また、この内部空間の幅Ｗ（水平方向、且つ開口部１３２からの奥行き方向と直交する方向のサイズ）は、側面１１１に直交する２つの側面同士の間隔と、略同サイズとなっている。
【００７２】
図４に示すように、アンテナベース１１０は、その側面１１１側から、開口部１３２を介して、アンテナ容器１３０の内部空間へ挿入される。このとき、アンテナベース１１０の蓋１１５（側面１１１と対向する側面に形成されており、開口部１３２よりも大きいサイズを有する）が、開口部１３２の縁部に当接することにより、アンテナベース１１０のさらなる移動が規制され、アンテナベース１１０が、アンテナ容器１３０の内部で位置決めされることとなる。また、蓋１１５により、上記内部空間への異物の混入を、防止することが可能となっている。さらに、アンテナ容器１３０が各平面アンテナの表面を覆うため、各平面アンテナを保護することも可能となっている。
【００７３】
図４において注目すべきは、側面１１１に配置されている平面アンテナ１２１が、アンテナ容器１３０の内部空間の、側面１１１と対向する内壁面１３４に面接触しており、すなわち、平面アンテナ１２１が、側面１１１と内壁面１３４とによって挟み込まれた状態となっている。これにより、本実施形態のアンテナ装置１００は、平面アンテナ１２１の撓みや浮き上がりを防止および解消することができ、平面アンテナ１２１を、より確実に平面１１１に密着させた状態（すなわち、設置面に対してより垂直な状態）で固定することが可能となっている。
【００７４】
なお、図４に示す状態において、アンテナベース１１０は、既にアンテナ容器１３０から抜け落ち難くなっているが、より確実に固定するために、ツメ、接着テープ、接着剤、ネジ、リベット等の固定手段によって、アンテナ容器１３０に固定されてもよい。
【００７５】
〔第２実施形態〕
次に、図５および図６を参照して、本発明に係るアンテナ装置の第２実施形態について説明する。
【００７６】
図５は、本発明の第２実施形態に係るアンテナベース１１０の構成を示す平面図である。図６は、本発明の第２実施形態に係るアンテナベース１１０（統合アンテナ１２０および同軸ケーブル１４０が取り付けられた状態）の構成を示す平面図である。
【００７７】
図５に示すように、第２実施形態のアンテナ装置１００は、アンテナベース１１０の側面１１１において、平面アンテナ１２１の給電点Ｐの裏側となる位置に、凹部１１１Ａが形成されている点で、第１実施形態のアンテナ装置１００と異なる。凹部１１１Ａは、少なくとも給電点Ｐにおける半田等の突出部を、その内部に収容することが可能な形状およびサイズを有している。
【００７８】
そして、図６に示すように、平面アンテナ１２１は、凹部１１１Ａの底面、壁面、および側面１１１に沿って、凹状に折り曲げて配置される。これにより、平面アンテナ１２１の表面（側面１１１と対向する面とは反対側の面）に設けられた給電点Ｐにおける突出部が凹部１１１Ａ内に収容された状態で、すなわち、給電点Ｐの突出部を側面１１１から突出させることなく、平面アンテナ１２１を配置することができる。
【００７９】
このため、図４に示すように、アンテナベース１１０をアンテナ容器１３０へ挿入した場合でも、上記給電点Ｐの突出部が、アンテナ容器１３０の内壁面１３４に接することを防止することができる。
【００８０】
〔変形例〕
以下、実施形態の変形例について説明する。
【００８１】
（第１変形例）
アンテナ容器１３０の外形状は直方体形状としているが、これに限らない。例えば、アンテナ容器１３０の外形状を、アンテナ装置１００の外形状、または、アンテナ装置１００の内部空間の形状に応じた形状に変更してもよい。
【００８２】
図７は、本発明の実施形態（第１変形例）に係るアンテナ容器の構成を示す側面図である。図７に示す例では、アンテナ容器１３０の外形状は、概ね、アンテナ装置１００の外形状（１００Ａを付した点線部分）に沿った形状となっている。これにより、本変形例のアンテナ容器１３０は、アンテナ装置１００の内部空間を有効利用しつつ、より密着する構成となっているため、アンテナ装置１００を大型化することなく、より確実にアンテナ装置１００の内部で固定されることとなる。特に、本変形例のアンテナ容器１３０は、アンテナ装置１００の筐体の一部となっているため、より確実にアンテナ装置１００の内部で固定されることとなる。本変形例のアンテナ容器１３０は、さらに、回路基板等の他の構成要素を設置または収容可能な構成とすることも可能である。
【００８３】
本変形例のように、アンテナ容器１３０の内部空間の形状をそのままに、アンテナ容器１３０の外形状を、アンテナ装置１００の形状に応じたものに変更すれば、アンテナ装置１００を大型化することなく、アンテナベース１１０を、形状が異なる様々なアンテナ装置１００に利用することができる。これにより、アンテナ装置１００に係るコストを削減することができる。
【００８４】
（第２変形例）
上記各実施形態において、図８に示すように、平面アンテナ１２１に接続された同軸ケーブルを貫通させることが可能な空間を、アンテナベース１１０に形成してもよい。
【００８５】
図８は、本発明の実施形態（第２変形例）に係るアンテナベース１１０の構成を示す外観斜視図である。図８に示す例では、アンテナベース１１０の上面１１２には、側面１１１から蓋１１５へ直線状に延伸する、溝１８０が形成されている。この溝１８０は、平面アンテナ１２１に接続された同軸ケーブルを貫通させるのに十分な深さおよび幅を有している。また、この溝１８０は、側面１１１および蓋１１５を貫通している。
【００８６】
側面１１１の開口部は、平面アンテナ１２１の給電点Ｐと対向する位置に形成されていることが好ましい。これにより、平面アンテナ１２１の取り付け時において、上記給電点Ｐを側面１１１の開口部に収めることが可能となる。さらに、上記給電点Ｐに接続された同軸ケーブルを、側面１１１の開口部から、直接溝１８０内に引き込むことが可能となる。
【００８７】
これにより、アンテナベース１１０の表面上に同軸ケーブルを這わせたり、平面アンテナ１２１の浮き上がりを生じさせたりすることなく、同軸ケーブルを、蓋１１５の外部へ引き出すことが可能となる。
【００８８】
なお、同軸ケーブルを通すことが可能な空間の形状は、図８に示すものに限らない。例えば、アンテナベース１１０は中空構造を有してもよく、この場合、当該内部空間を、同軸ケーブルを貫通させるための空間として利用してもよい。この場合、必要に応じて、上記同軸ケーブルを当該内部空間に引き込むための開口部、および、上記同軸ケーブルを当該内部空間から引き出すための開口部を、アンテナベース１１０に形成するとよい。上記同軸ケーブルを当該内部空間に引き込むための開口部を形成する場合は、上述のとおり、当該開口部を、側面１１１における、平面アンテナ１２１の給電点Ｐと対向する位置に形成するとよい。
【００８９】
また、本変形例のアンテナベース１１０は、平面アンテナ１２２用の同軸ケーブル、および、平面アンテナ１２３用の同軸ケーブルの、少なくともいずれか一方を、さらに貫通させることが可能な構成へ変形することもできる。
【００９０】
ここで、図８において注目すべきは、側面１１１の開口部が、側面１１１を平面視したときに、Ｌ字状をなすように形成されている点である。これにより、図８に示すアンテナベース１１０は、当該開口部内への同軸ケーブルの設置を容易化しつつ、当該開口部内において、同軸ケーブルの上下方向への移動を規制することで、同軸ケーブルを確実に保持することが可能となっている。
【００９１】
〔実施形態の補足説明〕
（平面アンテナの種類について）
各実施形態のアンテナ装置１００において、アンテナベース１１０に取り付けられる平面アンテナの種類は、適宜変更され得るものである。例えば、各実施形態のアンテナ装置１００においては、３Ｇ／ＬＴＥ用アンテナ、ＤＡＢ用アンテナ、およびＧＰＳ用アンテナをアンテナベース１１０に取り付ける構成を採用しているが、ＩＴＳ用（７００ＭＨｚ）、Ｗｉ−Ｆｉ用（２．４ＧＨｚ、５ＧＨｚ）、Bluetooth（登録商標）用（２．４ＧＨｚ）、エンジンスタータ用（８００ＭＨｚ）用アンテナ等の高周波アンテナを取り付ける構成に変更することも可能である。
【００９２】
（平面アンテナの性質について）
また、各実施形態のアンテナ装置１００において、平面アンテナ１２１，１２２，１２３は、いずれも矩形状に限定されるものではない。また、統合アンテナ１２０は、全体がフレキシブルでなくともよく、少なくとも、その取り付け時において、連結部１２５および連結部１２６が折り曲げ可能であればよい。
【００９３】
（平面アンテナの枚数について）
各実施形態のアンテナ装置１００において、アンテナベース１１０に取り付けられる平面アンテナの枚数は、適宜変更され得るものである。例えば、各実施形態のアンテナ装置１００においては、３枚の平面アンテナ（平面アンテナ１２１，１２２，１２３）をアンテナベース１１０に取り付ける構成を採用しているが、２枚の平面アンテナ（例えば、平面アンテナ１２１，１２２、または、平面アンテナ１２１，１２３）をアンテナベース１１０に取り付ける構成、および、４枚以上の平面アンテナ（例えば、平面アンテナ１２１，１２２と他の１枚以上の平面アンテナ）をアンテナベース１１０に取り付ける構成に変更することも可能である。
【００９４】
（平面アンテナの配置について）
各実施形態のアンテナ装置１００において、ＤＡＢ用の平面アンテナ１２２を上面１１２に配置し、ＧＰＳ用の平面アンテナ１２３を下面１１３に配置しているが、より標準電界強度の強い電磁波を受信するＤＡＢ用の平面アンテナ１２２を下面１１３に配置し、より標準電界強度の弱い電磁波を受信するＧＰＳ用の平面アンテナ１２３を上面１１２に配置してもよい。
【００９５】
下面に配置された平面アンテナは、側面に配置された平面アンテナ、および、上面に配置された平面アンテナによる、ノイズの影響を受け易い。そこで、標準電界強度が強い電磁波を受信する平面アンテナを下面に配置することにより、アンテナ装置１００全体として、ノイズの影響を最小化することができるからである。
【００９６】
〔付記事項〕
本発明は上述した実施形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【００９７】
本発明は、複数種類の無線通信が可能な無線通信機器に利用可能であり、特に、自動車、鉄道車両、船舶などの移動体に搭載される無線通信機器、および、携帯電話端末、ＰＤＡ（Personal Digital Assistance）、タブレット型ＰＣ（Personal Computer）等の移動端末に好適に利用可能である。
【符号の説明】
【００９８】
１００  アンテナ装置
１１０  アンテナベース（保持部材）
１１１  側面（第１のアンテナ設置面）
１１１Ａ  凹部
１１２  上面（第２のアンテナ設置面）
１１３  下面（第３のアンテナ設置面）
１１５  蓋
１１６  ツメ
１２０  統合アンテナ
１２１  平面アンテナ（第１の平面アンテナ）
１２２  平面アンテナ（第２の平面アンテナ）
１２３  平面アンテナ（第３の平面アンテナ）
１２５  連結部（第１の連結部）
１２６  連結部（第２の連結部）
１３０  アンテナ容器
１３２  開口部
１３４  内壁面
１４０  同軸ケーブル
【図１】
2014027487.tif 000003
【図２】
2014027487.tif 000004
【図３】
2014027487.tif 000005
【図４】
2014027487.tif 000006
【図５】
2014027487.tif 000007
【図６】
2014027487.tif 000008
【図７】
2014027487.tif 000009
【図８】
2014027487.tif 000010